(57)【要約】【課題】ＷＤＭ装置における変換波長の自動設定を容易且つ確実に実施することを目的とする。【解決手段】装置Ｂ１２０の各チャネル部Ｂ１の固定波長通過フィルタＦＴＲと、当該チャネル位置に応じてフィルタ通過信号をオン・オフ制御する制御部ＯＮ／ＯＦＦ１とを設け、ＷＤＭ１３０を通過した信号をλ分析器１４０で分析し、もって当該通過信号の波長及び対応チャネルを検出し、それを装置Ａの対応チャネル部Ａｘに設定する構成である。【選択図】　　　図６
2004015328.tif 000002
【特許請求の範囲】
【請求項１】
供給信号波長が各々固定されている複数の入力端子よりなり、供給された複数の波長の光信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化器の入力端子が有する固定波長に対応した固定波長を有する複数の端末部とよりなり、
前記複数の端末部の各々は、それが接続される多重化部の入力端子の固定波長に対応した波長の信号のみを通過させるフィルタと、当該フィルタを通過した信号を当該端末部に個別的に対応させてを変調する変調器とよりなり、
前記複数の波長変換部の各々は，変換波長を順次変更しながら波長変換した信号を出力して夫々の端末部に供給し、多重化部を介して得られた出力を波長分析することによって上記変調器で変調された信号を検出して該当する端末部を識別すると共に当該信号の波長を検出し、もって当該端末部の固定波長を検出する構成の波長分割多重装置。
【請求項２】
供給信号波長が各々固定されている複数の入力端子よりなり、供給された複数の波長の信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化部の入力端子が有する固定波長に対応した固定波長を有する複数の端末部とよりなり、
前記複数の端末部の各々は、その固定波長に対応させて個別的に変調した光信号をそれが接続された波長変換部へ送信し、それを受けた波長変換部で当該送信された光信号の変調成分から当該固定波長を読み取ることによって当該端末部の固定波長を検出する構成の波長分割多重装置。
【請求項３】
供給信号波長が各々固定されている複数の入力端子よりなり、供給された複数の波長の信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化部の入力端子が有する固定波長に対応した固定波長を有する複数の端末部とよりなり、
前記複数の端末部の各々は、その固定波長の光信号をそれが接続された波長変換部へ送信し、それを受けた波長変換部で当該送信された光信号の波長を分析することによって当該端末部の固定波長を検出する構成の波長分割多重装置。
【請求項４】
供給信号波長が各々固定されている複数の入力端子よりなり、供給された複数の波長の信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化部の入力端子が有する固定波長に対応した固定波長を有する複数の端末部とよりなり、
前記複数の端末部の各々は、その光信号をそれが接続された波長変換部へ送信し、それを受けた波長変換部で、当該送信された光信号を、通過波長が可変なフィルタに通し、当該フィルタを通過した際のフィルタの通過波長を得ることによって当該端末部の固定波長を検出する構成の波長分割多重装置。
【請求項５】
供給信号波長が各々固定されている複数の入力端子よりなり、供給された複数の波長の信号を多重化して出力する多重化部と、各々が入力光信号の波長を多重化部の固定波長に応じた所定の波長に変換して出力する複数の波長変換部と、夫々が複数の波長変換部に接続され且つ多重化部の複数の入力端子へ接続され、複数の波長変換部の各々から出力された信号を多重化部の複数の端子へ夫々供給する複数の端末部であって各々はそれが接続された多重化部の入力端子が有する固定波長に対応した固定波長を有する複数の端末部とよりなる波長分割多重装置における各波長変換部の変換波長の自動設定方法であって、
前記複数の端末部の各々には、その固定波長に対応した波長の信号のみを通過させるフィルタと、当該フィルタを通過した信号を当該端末部に個別的に対応させてを変調する変調器とを設け、
前記複数の波長変換器の各々は変換する波長を順次変更しながら波長変換した信号を出力して対応する端末部に供給し、それが多重化部を介した出力を波長分析することによって上記端末部に個別的に応じて変調された信号から該当する端末部を識別すると共に当該信号の波長を検出し、もって当該端末部の固定波長を検出して当該波長変調器の変調波長として設定する構成の波長分割多重装置における各波長変換器の変換波長自動設定方法。
【発明の詳細な説明】
【０００１】
【発明の属する技術分野】
本発明は光伝送において光ファイバの効率的利用を可能にする波長多重分割装置に係り、特に当該装置において各伝送チャネルに波長割当設定方法を改善した波長多重分割装置及び同装置における割当波長設定方法に関する。
【０００２】
【従来の技術】
近年の光伝送装置の構成として回線の大容量化が進んでおり、光ファイバの効率的利用に欠かせないものとして波長分割多重（ＷａｖｅｌｅｎｇｔｈＤｉｖｉｓｉｏｎＭｕｌｔｉｐｌｅｘｉｎｇ、以下略してＷＤＭ）技術が注目されている。
【０００３】
図１に、従来のＷＤＭ装置の構成の一例を示す。同図中、各ＷＤＭ装置は、装置Ａ１１０、装置Ｂ１２０及び、波長多重分離器（ＷＤＭ）１３０から成る構成をとっている。装置Ａ１１０は、接続された装置Ｂ１２０のチャネルに対応した波長λを設定することにより、下流側装置２００−１、２００−２、．．．からの各々が波長λｓの信号を上流側、即ち装置Ｂ１２０で使用する波長λ１乃至λｎに変換する装置である。又装置Ｂ１２０は、接続されるＷＤＭ１３０の入力端子に対応してチャネル毎に個別かつ固定的に使用可能なλ、即ちλ１乃至λｎが予め決められている装置である。
【０００４】
装置Ｂ１２０における上流側出力である波長λ１乃至λｎの信号はＷＤＭ１３０で多重化されて１本のファイバで同時に送り出され、受信側でそれらが分割されて元の信号に戻される。こうすることで、ファイバの使用効率を大幅に向上することが出来る。現在ＷＤＭ装置では多重化する際、同一の波長λの信号をそのままでは多重化することが出来ないため、ＷＤＭ１３０にて受信する信号の波長λが重ならないように、下流にある装置Ａ１１０で送信する信号の波長λの割り当て設定を行っている。λの割り当て設定は、オペレータが使用可能な波長λを認識し、多重するチャネル数分の異なる波長λを１つ１つ指定して設定しているため、作業負荷が高い。また今後、多重数はますます増えていくと考えられる。以上の理由から多重の際の波長λの割り当て設定を容易に行う方法が求められている。
【０００５】
図２に、従来の技術の一例のＷＤＭ装置の構成を示す。この場合、装置Ａ１１０の上流側入力端子は複数の異なる波長λを受信可能であるため、装置Ｂ１２０の下流側出力端子から装置Ａ１１０の上流側入力端子に対する波長λの割り当て設定は不要である。一方、装置Ｂ１２０の下流側入力端子ではチャネル毎に受信可能な波長λが固定されているため、装置Ａ１１０の上流側出力端子から装置Ｂ１２０の下流側入力端子に対するオペレータによる波長λの割り当て設定作業が必要となる。
【０００６】
又装置Ａ１１０の各チャネルは、各々設定可能な波長λの範囲が決まっている。そのため、オペレータは装置Ｂ１２０のチャネル部で使用可能なλと、装置Ｂと光ファイバで接続された装置Ａ１１０の設定可能なλの範囲を知った上で個々の波長λを設定する必要がある。そのため、例えば次のような方法（図３、図４参照）で波長設定を行っている。
【０００７】
（１）オペレータは、装置Ｂを運用状態にする要求を装置Ｂの設定制御部１２１へ入力する（ステップＳ１）。
【０００８】
（２）オペレータは、設定しようとしている装置Ｂのチャネル部で受信可能なλを調べる（ステップＳ２）。
【０００９】
（３）オペレータは、装置Ｂの当該チャネル部と接続されている装置Ａのチャネル部で設定可能なλの範囲を調べる（ステップＳ３）。
【００１０】
（４）オペレータがλを設定する要求を装置Ａの設定制御部１１１へ送る（ステップＳ４）。
【００１１】
（５）設定制御部１１１では、予め保存してある装置Ａの該当するチャネル部で出力可能なλを調べる。
【００１２】
（６）（５）の結果オペレータの指定したλが出力不可であれば（ステップＳ５のＮＧ）オペレータにλ設定不可能であることを通知し（２）乃至（５）を繰り返す。
【００１３】
（７）（５）の結果オペレータの指定したλが出力可ならばオペレータにλ設定可能であることが通知され、オペレータはλを設定して装置Ｂへ送信する（ステップＳ６）。
【００１４】
（８）オペレータは、装置Ｂでの受信を確認する（ステップＳ７）。
【００１５】
（９）（８）で受信が確認できれば設定完了となる。
【００１６】
（１０）（８）で受信が確認できない場合は、（１）乃至（１０）を繰り返す。
【００１７】
（１１）（１）乃至（１０）をチャネル毎に行い繰り返す。
【００１８】
【発明が解決しようとする課題】
上記従来技術では、以下の課題が考えられる。
【００１９】
（１）装置Ｂの下流側入力端子ではチャネル毎に受信可能であるλが固定されているため、オペレータが使用可能なλを調べる必要がある。もしオペレータが誤ってλを設定してしまった場合、データが送信不能となってしまい、再度設定をやり直す必要がある。したがってλを自動設定することによってオペレータによるλの誤設定を防ぐことが求められる。
【００２０】
（２）設定が完了するまでの間、オペレータによる操作を要する手順が多く、また操作が複雑であるため、人為的ミスが発生する可能性がある。したがってオペレータの負担を減らし、λ設定の信頼性を向上させることが求められる。
【００２１】
（３）多重化するチャネル数分のλの設定が必要であり、非常に手間がかかる。したがって、この手間を省くことによって利便性を向上させることが求められる。
【００２２】
（４）上記装置Ｂにおいて接続チャネルが変更された場合、上記従来技術による方法では装置Ａで新たな接続チャネルを知ることが不可であるため、チャネルとλとの間のミスマッチ状態のままλを送信してしまうことになり、オペレータが上記ミスマッチに気づき再設定を行うまでデータは送信出来ないことになる。したがって接続チャネルが変更された場合に自動でλの再設定が成される構成が求められる。
【００２３】
【課題を解決するための手段】
上記課題の解決のため、本発明では、上記装置Ａの各チャネル部では出力可能は波長を順次設定して装置Ｂに対して発信し、装置Ｂの対応するチャネル部では自己の固定波長のみを通過させるフィルタを通過させた後、当該チャネル位置・番号を識別可能なように当該フィルタ通過後の光信号を当該チャネル位置・番号に固有な態様で変調してＷＤＭに供給する。そして、ＷＤＭで多重化されて出力された多重信号をλ分析器で分析することにより、上記チャネル位置・番号に固有な態様で変調された波長を検出する。この検出は、多重信号の周波数をスペクトルを分析することによって各波長成分毎の光強度が得られるため、ある波長の信号の光強度の変調態様から、当該波長の信号がその変調態様に対応するチャネル位置・番号の装置Ｂ中のチャネル部から発信されたものであることが判明する。その結果、当該装置Ｂのチャネル部の固定波長が上記波長であることが判明する。よって、該当する装置Ａのチャネル部では当該波長を変換波長として設定すればよいことになる。
【００２４】
この方法により、装置Ａの各チャネル部毎に上記手順で装置Ｂの対応するチャネル部の固定波長を自動的に検出・設定可能であり、オペレータによるマニュアル設定による労力の削減、誤設定の防止、更には装置Ａと装置Ｂとの間のケーブルの誤接続による誤動作の防止等が図れ、もって光分割多重装置における変換波長設定作業を大幅に簡略化可能である。
【００２５】
【発明の実施の形態】
以下、図面に基づいて本発明の各実施例の構成について説明する。
【００２６】
図５は、本発明のＷＤＭ装置の装置Ａ１１０と装置Ｂ１２０の基本構成を説明するための図である。なお、本明細書中、「上流」とはＷＤＭ１３０側、即ち図５における左側を指し、他方「下流」とは、光伝送装置群２００側、即ち同図の右側を指すものとする。図中、Ｂ１乃至Ｂｎ（ｎは１以上の整数）迄のチャネル部（下流、上流側にそれぞれ出力，入力端子を有する）を持ち、チャネル部毎に個別かつ固定的に使用可能な光波長（以降光波長を「λ」、またチャネル部毎に個別かつ固定的に使用可能な光波長を「λ１乃至λｎ」と称する）が決められており、そのλ情報を保持している装置Ｂ１２０と、Ａ１乃至Ａｎのチャネル部を持ち、夫々チャネル部毎にＢ１乃至Ｂｎに対応したλを設定する事により、チャネル部下流側で使用するλ（以降「λｓ」と称する）を、上流側で使用するλ１乃至λｎに変換する装置Ａ１１０とよりなり、Ｂ１乃至Ｂｎの下流側入出力とＡ１乃至Ａｎの上流側入出力とが接続され（以降この状態を「対向」と称する）ている。本発明によれば、装置Ａの下流側入力信号波長λｓを上流側で使用する波長λ１乃至λｎに変換、即ちλ設定を行う際、オペレータによいるマニュアル操作を不要にし得る。
【００２７】
以下、各実施例について説明する。
【００２８】
図６は本発明の第１実施例によるＷＤＭ装置の構成を示す。図示の如く、同装置は、多重すべき各光伝送装置に接続され、入力された信号の波長を適宜変換して装備Ｂ１２０に供給する装置Ａ１１０と、装置Ａから供給された信号を所定のタイミングでＯＮ／ＯＦＦ制御してＷＤＭ１３０に結合する装置Ｂ１２０と、装置Ｂ１２０によって結合された複数の信号を多重化して光ファイバに入力するＷＤＭ１３０とよりなる。
【００２９】
更に、上記装置Ａ１１０は、各チャネル毎に対応する光伝送装置から入力された信号の波長を変換して装置Ｂ１２０に対して出力するチャネル部Ａ１，Ａ２，Ａ３，．．．，Ａｎよりなり、同様に装置Ｂ１２０は、各チャネル毎に対応するチャネル部Ａｘから提供された信号をＷＤＭ１３０の対応する下流側端子に結合するチャネル部Ｂ１，Ｂ２，Ｂ３，．．．，Ｂｎよりなる。
【００３０】
更に、各チャネル部Ａ１，Ａ２，Ａ３、．．．、Ａｎは、設定制御部１１１の制御の下で所定のプログラムにしたがって波長λを一定時間毎に変更しながら信号を出力し、それら一連のλが装置Ｂ１２０のチャネル部Ｂ１，Ｂ２，Ｂ３，．．．，Ｂｎの各々に予め固定的に割り当てられているλと一致した場合、その一致した波長λの信号によるデータのみを透過させるフィルタＦＴＲを装置Ｂ１２０の各チャネル部Ｂｘに設けておく。
【００３１】
又、チャネル部Ｂｘの上流側へ出力されたデータが、ＷＤＭ１３０で合波された後に、λ分析することでチャネル部ＢｘからのデータがＷＤＭ１３０を通して確かに出力されていることを識別するため、チャネル部ＢｘのフィルタＦＴＲを透過後の経路上（フィルタＦＴＲより上流側）に第１のＯＮ／ＯＦＦ制御部ＯＮ／ＯＦＦ１を設ける。そして、このＯＮ／ＯＦＦ制御部ＯＮ／ＯＦＦ１にて出力信号をオン・オフすることによって当該チャネル部Ｂｘのチャネル番号をＯＮ／ＯＦＦ信号（“０”、“１”の２値）で上流側（ＷＤＭ１３０側）へ送信する。即ち、予め各チャネルＢ１，Ｂ２，Ｂ３，．．．，Ｂｎ毎に特有のオン・オフパターンを決めておき、当該オン・オフパターンを、ＷＤＭ１３０での合波後にλ分析部１４０にて検出することにより、該当するチャネルの信号が通過したことが確認される。なお、このオン・オフパターンを有する信号は、あくまで光伝送装置からデータがフィルタＦＴＲを透過出来た場合にのみＷＤＭ１３０側に送信される。
【００３２】
そして、チャネル部Ｂｘを透過出来た（運用可能な）波長λは、ＯＮ／ＯＦＦ制御部ＯＮ／ＯＦＦ１により当該チャネル部Ｂｘのチャネル番号でオン・オフ変調されて、ＷＤＭ１３０に供給され、ここで合波される。合波後、λ分析器１４０にて分析することにより、当該チャネル部Ｂｘからのデータが出力開始したこが検出され、その旨が当該チャネル部Ｂｘに伝達される。この目的のため、ＷＤＭ１３０で合波後の増幅器ＡＭＰ１５０による増幅処理の上流側位置にλ分析器１４０を設ける。
【００３３】
更に、装置Ａ１１０の各チャネル部Ａｘから出力されているデータに関し、現在当該チャネル部Ａｘから対応する装置Ｂ１２０のチャネル部Ｂｘに供給されている信号の波長λが当該チャネル部Ｂｘに予め固定的に割り当てられた波長λであるか否かの検出結果を当該チャネル部ＡｘにＯＫ／ＮＧ信号として通知するため、各チャネル部Ｂｘに第２のＯＮ／ＯＦＦ制御部ＯＮ／ＯＦＦ２を設置する。このＯＮ／ＯＦＦ制御部ＯＮ／ＯＦＦ２は、下流側出力端子から装置Ａ側に送信されるデータをオン・オフ変調することにより、ＯＫ／ＮＧデータを生成し、チャネル部Ｂｘの下流側出力端子から対応するチャネル部Ａｘの上流側入力端子へ送信する。
【００３４】
上記第１実施例の動作について、図７に示すフローチャートに基づいて説明する。
【００３５】
ここでは以下の動作によって装置Ａ１１０のチャネル部Ａｘから上流側出力信号に対して割り当てる波長λｘ−Ａを自動設定する。又、本実施例の実施条件として、（１）装置Ｂ１２０が運用状態であること、（２）装置Ａ１１０，装置Ｂ１２０が対向状態であること、並びに（３）装置Ｂ１２０から装置Ａ１１０への主信号が断となってもかまわないことが挙げられる。
【００３６】
（１）オペレータがλ設定すべき所定のチャネルに対応するチャネル部Ａｘに対し、対応する（即ち、相互接続された）チャネル部Ｂｘに対するデータ出力要求を行う（ステップＳ２１）。
【００３７】
（２）これを受けた装置Ａ１１０の設定制御部１１１で出力可能なλのうちから、設定するλを１つ選択し、変数ｌａｍｂｄａ＿ｔｅｍｐにその値を格納する（ステップＳ２２）。
【００３８】
（３）このように同設定制御部１１１でλを設定（λ１−Ａ）すると、チャネル部Ａｘの上流側出力端子から同信号λ１−Ａを装置Ｂ１２０の対応するチャネル部Ｂｘの下流側入力端子へと送信（光伝送）する（ステップＳ２３）。
【００３９】
（４）当該チャネル部ＢｘのＯＮ／ＯＦＦ制御部ＯＮ／ＯＦＦ１は、オン・オフ変調により、受信信号から後述する２種類のうちのいずれかの符号信号を作成し、もってチャネル位置情報を生成、送信する（ステップＳ２４）。
【００４０】
（５）λ分析器１５０は、受信信号の波長λを測定する（ステップＳ２５）。
【００４１】
（６）装置Ｂ１２０の設定制御部１２１は、λ分析器１５０より測定λ情報を受信し、その波長λを示すλ情報を変数ｌａｍｂｄａ＿ｍｅａｓｕｒｅｄに格納し、又、当該測定波長λが有するチャネル位置情報（オン・オフ変調情報）を読み取る（ステップＳ２５）。
【００４２】
（７）更に設定制御部１２１は、（６）にて読み取ったチャネル位置情報が示すチャネルに対応する波長λを示す情報を該当するチャネル部Ｂｘのλ情報格納部ＳＴＲＢから読み取り、変数ｌａｍｄａ＿ｔｅｍｐ２に格納する（ステップＳ２８）し、その後、（６）、（７）で読み取ったλ情報が互いに一致するか否かを判定する（ステップＳ２９、Ｓ３０）。具体的には、
（８）まずステップＳ２９にて、以下の如く、上記測定λ情報ｌａｍｂｄａ＿ｍｅａｓｕｒｅｄに所定の許容幅ｋを付加する。
【００４３】
ｌａｍｂｄａ＿ｓ　＝　ｌａｍｂｄａ＿ｍｅａｓｕｒｅｄ　×　（１−ｋ）
ｌａｍｂｄａ＿ｌ　＝　ｌａｍｂｄａ＿ｍｅａｓｕｒｅｄ　×　（１＋ｋ）
（９）次に、ステップＳ３０にて、以下の如く、この許容幅内に上記チャネル部Ｂｘから読み取った当該チャネル部Ｂｘ固有のλ情報ｌａｍｂｄａ＿ｔｅｍｐ２の値が収まるか否かを判定する。
【００４４】
ｌａｍｂｄａ＿ｓ　＜　ｌａｍｂｄａ＿ｔｅｍｐ２
且つ、　ｌａｍｂｄａ＿ｔｅｍｐ２　＜　ｌａｍｂｄａ＿ｌ
（１０）上記許容範囲に収まれば設定制御部１２１はＯＫ通知要求を当該チャネル部ＢｘのＯＮ／ＯＦＦ制御部ＯＮ／ＯＦＦ２に送る（ステップＳ３３）。又、同チャネル部ＢｘのＯＮ／ＯＦＦ制御部ＯＮ／ＯＦＦ１に対して停止要求を送る（ステップＳ３２）。
（１１）（９）で上記許容範囲に収まらない場合（ステップＳ３０のＮｏ）、或いは当該チャネル部Ｂｘの下流側入力端子（フィルタＦＴＲ入力前）でデータ出力開始から一定時間経過した場合（ステップＳ２７のＹｅｓ）はＮＧのＯＫ／ＮＧ通知要求を当該チャネル部ＢｘのＯＮ／ＯＦＦ制御部ＯＮ／ＯＦＦ２へ送る（ステップＳ３１）。
【００４５】
（１２）更にＯＮ／ＯＦＦ制御部ＯＮ／ＯＦＦ２は、ステップＳ３３、Ｓ３１にて生成されたＯＫ、ＮＧ通知要求に応じたＯＫ／ＮＧデータ（図９参照）を作成し、当該データを当該チャネル部Ｂｘの下流側出力端子から対応するチャネル部Ａｘの上流側入力端子へ送信する（ステップＳ３４）。
【００４６】
（１３）チャネル部Ａｘのデータ処理部ＰＲＣＡは、ステップＳ３４で作成されたデータがＯＫデータの場合、それを受信することで、現在出力中の波長値λを自己の送信部に変換波長として設定する（ステップＳ３６）。
【００４７】
（１４）チャネル部Ａｘのデータ処理部ＰＲＣＡは、ステップＳ３４で作成されたデータがＮＧデータの場合、それを受信することで、設定制御部１１１に再設定要求を送り（ステップＳ３５のＮＧ）、その結果設定制御部１１１では出力可能λ格納部ＳＴＲＡから新たなλを選択して上記変数ｌａｍｂｄａ＿ｔｅｍｐに格納することによってλを変更し（ステップＳ２２）、これを対応チャネル部Ｂｘへ送信する（ステップＳ２３）。このようにして、設定すべきλの値が決定するまでステップＳ２２乃至Ｓ３５を繰り返す。
【００４８】
（１５）ステップＳ２１乃至Ｓ３６を所定のチャネル数分繰り返す。
【００４９】
なお、この実施例の場合、他のチャネル部を通して信号が送信中でも良く、その場合、設定制御部１２１にて特定の波長に対してオン・オフ変調を掛けるため、λ分析器１４０における分析によって当該オン・オフ変調された波長を特定可能である。
【００５０】
又、上記チャネル位置情報の一例を図８に示す。この場合、オン・オフ変調は所定期間のパルス数で規定しており、例えばチャンネル位置（チャネル番号）が３の場合、“０”、“０”、“３”の夫々を表すオン・オフ変調信号を順次発生する。
【００５１】
又、上記ＯＫ／ＮＧ信号の一例を図９に示す。この場合、ＯＫ信号の場合にはＯＮ期間を長くし、逆にＮＧ信号の場合にはＯＮ期間を短くすることによって区別している。
【００５２】
次に本発明の第２実施例について説明する。
【００５３】
図１０は本発明の第２実施例によるＷＤＭ装置を説明するための図である。この場合、図に示す如く、リトライ回数監視部ＲＴＲＣが装置Ａ１１０に加えられ、リトライ判定部ＲＴＲＤがその各チャネル部Ａｘに加えられている。この場合の動作について、図１１のフローチャートと共に説明する。
【００５４】
なお、第２実施例の実施条件は上記第１実施例のものと同様である。
【００５５】
（１）上記第１実施例同様、オペレータより装置Ａ１１０の設定制御部１１１に対してデータ出力要求が来た際（ステップＳ４１）、試行回数（ｒｅｔｒｙ＿ｃｏｕｎｔ）を初期化する（ステップＳ４２）。
【００５６】
（２）その後、図７の処理を実施し、その間チャネル部Ａｘのリトライ判定部ＲＴＲＤは、データ処理部ＰＲＣＡを監視し、図７の処理（ステップＳ２２乃至Ｓ３５）の結果使用可能な全波長λに対して試行して全て失敗した場合（ステップＳ４４のＹｅｓ）、上記試行回数をカウントアップし、リトライ要求を設定制御部１１１へ送る（ステップＳ４５）。
【００５７】
（３）設定制御部１１１は、再度図７の処理に入り、出力可能λよりλを１つ選択（ステップＳ２２）し、以降の処理（ステップＳ２２乃至Ｓ３５）を繰り返す。
【００５８】
（４）リトライ回数監視部ＲＴＲＣは、リトライ判定部ＲＴＲＤを監視し、試行回数が特定回数（ｋ）を超過したら（ｒｅｔｒｙ＿ｃｏｕｎｔ＞ｋ）、オペレータに自動設定不可通知（該当チャンネル番号、および拒否の理由：「設定可能なλが存在しない」旨）を行い（ステップＳ４７）、当該処理を終了する。
【００５９】
なお、ある波長λの信号に関して何らかの原因でチャネル部Ａｘの上流側出力端子からチャネル部Ｂｘ下流側入力端子へのデータ送信に失敗した場合、装置Ｂ１２０では、たとえそれが設定すべき波長λの信号であったとしてもＮＧと判断することになってしまう。したがって、たとえ全てのλがＮＧの場合であってもリトライする価値があると言える。
【００６０】
以下の本発明の第３実施例について説明する。
【００６１】
図１２は本発明の第３実施例によるＷＤＭ装置を説明するための図である。この場合、図に示す如く、装置Ａ１１０が設定済みλ格納部ＳＴＲλを備える点が上記第１実施例と異なる。この場合の動作について、図１３のフローチャートと共に説明する。なお、第２実施例の実施条件は上記第１実施例のものと同様である。
【００６２】
（１）装置Ａ１１０初期化時、「設定済みλ」を初期化する（ステップＳ５１）。
【００６３】
（２）チャネル部Ａｘにおいて、図７の方法で該当するλｘを自動的に決定する（ステップＳ５２乃至Ｓ５５）。
【００６４】
（３）当該λｎを「設定済みλ」（ＳＴＲλ）に登録する（ステップＳ５６）。
【００６５】
（４）次のチャネル部Ａｘ＋１のλ設定時において、「出力可能λ」（ＳＴＲＢ）よりλをひとつ選択する際、選択したλが「設定済みλ」として格納部ＳＴＲλに登録されているか否かの確認を行う（ステップＳ５６）。
【００６６】
（５）（４）において「設定済みλ」ＳＴＲλに登録されていなければ、当該λに関して図７の処理を実行する。
【００６７】
（６）（４）において「設定済みλ」ＳＴＲλに登録されていれば、当該λ情報を破棄し、新たに「出力可能λ」ＳＴＲＡよりλを選択し、上記（４）乃至（６）の処理を繰り返す。
【００６８】
このように構成することにより、既に「設定済みλ」について他のチャネルで再度トライすることを容易に防止可能であり、処理の効率化が可能である。
【００６９】
次に本発明の第４実施例について図１４，１５、１６，１７と共に説明する。
【００７０】
図１４は第４実施例を説明するためのブロック図であり、図１５、１６，１７は同実施例で使用可能な符号信号（変調信号）のタイムチャートを示す。
【００７１】
この場合の実施条件は、（１）装置Ａ，Ｂが運用状態であること、（２）装置Ａ，Ｂが対向していること、並びに装置Ｂから装置Ａへのデータが断になってもかまわないことである。
【００７２】
この実施例の場合、所定の光信号変調を行って装置Ｂのチャネル部Ｂｘから対応する装置Ａのチャネル部Ａｘへ送信することによってチャネル部Ｂｘに固有のλ情報をチャネル部Ａｘに伝達し、チャネルＢｘではそのλ情報にしたがって自己の変調波長λを設定する構成である。以下、詳細に説明する。
【００７３】
まず、オペレータによりチャネル部Ｂｘに対し、休止状態から運用状態へ設定変更の要求（パラメータ：装置名、チャネル名、運用状態）が操作入力される。これが装置Ｂの設定制御部１２１にて解析され、その結果ＯＮ／ＯＦＦ制御部ＯＮ／ＯＦＦにλ設定要求が通知される。次にＯＮ／ＯＦＦ制御部ＯＮ／ＯＦＦが当該チャネル部Ｂ１の固有λ情報を読み取る。
【００７４】
次にＯＮ／ＯＦＦ制御部ＯＮ／ＯＦＦにより、送信部ＴＲＢをＯＮ／ＯＦＦ制御し、ＳＴＡＲＴＤＡＴＡを生成・送信する。次に、ＯＮ／ＯＦＦ制御部ＯＮ／ＯＦＦがλ情報格納部ＳＴＲＢから読み取ったλ［例：１５２８．７７］から、図１６又は図１７に示す如く光信号を強度変調することによってλ情報データが生成される。ここで、上記ＳＴＡＲＴ　ＤＡＴＡ及びλ情報データについて説明する。これらは光信号の強度を制御し、ＯＮ（信号継続）の状態とＯＦＦ（信号断）の状態とを生成し（図１５（ａ）参照）、この組み合わせで符号を表現して生成するものである（図１６参照）。又、この変形例として、図１５（ｂ）に示す如く光強度の高い状態の持続時間を制御することによってｌｏｎｇ状態とｓｈｏｒｔ状態とを生成し、その組み合わせによって符号を表現することも可能である（図１７参照）。
【００７５】
このようにしてＯＮ／ＯＦＦ制御部ＯＮ／ＯＦＦで送信部ＴＲＢを制御することにより生成されたλ情報データがチャネル部Ａ１の受信部ＲＣＡに送信される。当該λ情報の送信処理が終了すると、同様にＯＮ／ＯＦＦ制御部ＯＮ／ＯＦＦにより送信部ＲＴＢをＯＮ／ＯＦＦ制御し、もって所定のＥＮＤＤＡＴＡ（図１６，１７参照）を送信する。
【００７６】
対応するチャネル部Ａｘの受信部ＴＣＡにてこのようにして送信されたλ情報データを受信し、データ処理部ＰＲＣＡにて受信光信号のＯＮ／ＯＦＦ状態を検出することにより送信されたλ情報データからλ情報を読み取り（解読し）、当該λ情報を設定制御部１１１に通知する。設定制御部１１１では受け取った波長情報がチャネルＡｘに設定可能なλかどうかを出力可能λ（ＳＴＲＡ）を検索することによって判定し、該当するλが存在した場合、送信部ＴＣＡにλ情報を設定し、オペレータに対して設定完了を通知する。このとき該当するλが存在しなかった場合、設定制御部１１１よりオペレータに対して波長設定失敗を通知する。
【００７７】
次に本発明の第５実施例について、図１８，１９，２０，２１，２２，２３と共に説明する。当実施例は、上述の第４実施例と同様であるが、第４実施例では光信号を強度変調する際、オン／オフ変調するため、オフの場合には光信号が断絶される。これに対して第５実施例では、オン／オフ変調の代わりにオフをしない強度変調を実施する。すなわち、光信号の強度を変更する際、当該光信号に元々含まれるデータを損なわない程度に実施し、もって光信号を断絶することなく、即ち元々光信号に含まれていたデータを損なわずにλ情報伝達用変調信号を生成可能な構成とした。
【００７８】
即ち、光信号の光強度ＬｅｖｅｌをＭｉｄｄｌｅとＨｉｇｈもしくはＬｏｗに制御する、あるいはＭｉｄｄｌｅ、Ｈｉｇｈ、Ｌｏｗの３値間で制御することによって、λ情報データを生成し、チャネル部Ｂｘからチャネル部Ａｘへ送信する。この目的のため、各チャネルＢｘに出力レベル制御部ＯＬＣを設け、対応する各チャネルＡｘには、λ情報データから光強度レベルＭｉｄｄｌｅ、ＬｏｗもしくはＨｉｇｈ、或いはＭｉｄｄｌｅ、Ｌｏｗ、Ｈｉｇｈを検出することによって該当するλ情報を取得するため、入力レベル検出部ＩＬＤを設ける。
【００７９】
この実施例の実施条件は、（１）装置Ａ，装置Ｂが運用状態となっていること、装置Ａ，装置Ｂが対向していることである。
【００８０】
本第５実施例が上記第４実施例と異なる部分のみ説明するに、ＳＴＡＲＴ　ＤＡＴＡ，ＥＮＤ　ＤＡＴＡ，λ情報データが、図１５及び図１６又は図１７による光強度変調によるものでなく、代わりに図１９又は図２０及び図２１，図２２又は図２３による（信号断絶無しの）光強度変調によるものであることである。
【００８１】
即ち、図１９の例の場合、光信号のレベルとして、Ｍｉｄｄｌｅ及びＬｏｗ又はＨｉｇｈの２値を使用する。図２１はその内、ＭｉｄｄｌｅとＬｏｗとを使用した変調パターン例を示す。図２０（ａ）の例の場合、光信号のレベルとして、Ｍｉｄｄｌｅ、Ｌｏｗ及びＨｉｇｈの３値を使用する。図２２はその場合の変調パターン例を示す。
【００８２】
図２０（ａ）の例の場合、光信号のレベルとして、Ｍｉｄｄｌｅ、Ｌｏｗ及びＨｉｇｈの３値を使用する。図２２はその場合の変調パターン例を示す。図２０（ｂ）は、光の強度と共に特定の強度の持続時間で変調を掛けた例を示し、図２３はその場合の変調パターン例を示す。具体的には、図２３の例の場合、Ｍｉｄｄｌｅ、Ｈｉｇｈ−Ｓｈｏｒｔ、Ｈｉｇｈ−Ｌｏｎｇ、Ｌｏｗ−Ｓｈｏｒｔ、及びＬｏｗ−Ｌｏｎｇの計４値を用いている。
【００８３】
次に図２４、２５と共に、本発明の第６実施例の構成について説明する。本来、装置Ｂ１２０には、オペレータの意志に関係なく装置が動作することを防ぐ目的で休止状態が設けられており、その間はデータ出力は停止されている。これに対し、オペレータが運用状態に移行する旨の指示操作を行うことでデータ出力が開始される。
【００８４】
本実施例では、図１４，図１８と共に説明した第４，第５実施例の構成に対し、オペレータが当該チャネル部Ｂｘを休止状態から運用状態に移行する旨の指示操作を装置Ｂ１２０に対して行うことによって上述の一連のλ設定動作が起動される。即ち、当該指示操作によって設定制御部１２１がＯＮ／ＯＦＦ制御部ＯＮ／ＯＦＦ又は出力レベル制御部ＯＬＣを制御して上述の如く光信号の強度変調によって該当するλ情報等を対応する装置Ａのチャネル部Ａｘに伝達し、以後、上述の如くの第４，第５実施例と同様の動作によってλ設定動作を実施する。
【００８５】
次に、図２６，２７と共に、本発明の第７実施例の構成について説明する。この実施例は、上記第６実施例において休止状態から運用状態への移行の旨の指示操作が装置Ｂ１２０に対してなされるのに対し、第７実施例では同指示操作が装置Ａ１１０に対して行われる構成である。この場合、図２６の例では図１４に示した構成に対し装置Ａ１１０にデータＯＮ／ＯＦＦ制御部ＯＮ／ＯＦＦ−Ａを設け、他方図２７の例では図１８に示した構成に対し装置Ａ１１０に出力レベル制御部ＯＬＣ−Ａを設け、装置Ｂ１２０に入力レベル検出器ＩＬＤ−Ｂを設けている。
【００８６】
以下、第７実施例の動作について説明する。
【００８７】
第４実施例対応の例の場合（図２６）、オペレータによりチャネル部Ａｘに対して休止状態から運用状態へ設定変更の要求（パラメータ：装置名、チャネル名、運用状態）が入力操作されると、当該装置Ａの設定制御部１１１にて要求を解析してＯＮ／ＯＦＦ制御部ＯＮ／ＯＦＦ―Ａを制御して光信号をオン・オフ変調し、設定要求データを送信する。これを受けた装置Ｂのチャネル部Ｂｘでは、これを復号して当該λ設定指示を得ると、λ情報（ＳＴＲＢ）を読み込みＯＮ／ＯＦＦ制御部ＯＮ／ＯＦＦ−Ｂを制御し、光信号のＯＮ／ＯＦＦ変調によってＳＴＡＲＴ　ＤＡＴＡ及びλ情報を対応する装置Ａ１１０のチャネルＡｘに伝達する。以降、第４実施例と同様の動作でλ設定を実施する。
【００８８】
第５実施例対応の例の場合（図２７）、オペレータによりチャネル部Ａｘに対して休止状態から運用状態へ設定変更の要求（パラメータ：装置名、チャネル名、運用状態）が入力操作されると、当該装置Ａの設定制御部１１１にて要求を解析して出力レベル制御部ＯＬＣ―Ａを制御して光信号を強度変調し、設定要求データを送信する。これを受けた装置Ｂのチャネル部Ｂｘでは、入力レベル検出部ＩＬＣ−Ｂにてこれを復調して当該λ設定指示を得ると、λ情報（ＳＴＲＢ）を読み込み出力レベル制御部ＯＬＣ−Ｂを制御し、光信号の強度変調によってＳＴＡＲＴ　ＤＡＴＡ及びλ情報を対応する装置Ａ１１０のチャネルＡｘに伝達する。以降、第５実施例と同様の動作でλ設定を実施する。
【００８９】
以下に図２８，２９と共に、本発明の第８実施例について説明する。
【００９０】
本実施例では、図２８の例の場合（図１４の実施例に対応）、装置Ｂ１２０の各チャネル部Ｂｘにλ情報データ送信用の送信部ＴＲλを設けると共に、対応する装置Ａ１１０の各チャネル部Ａｘにλ情報データ受信用の受信部ＲＣλを設ける。更に、チャネル部Ｂｘからの入力と、同チャネル部Ｂｘへの出力を分波、合波するため、チャネル部Ａｘの上流側に光カプラよりなる合分波器ＣＤ−Ａを設けると共に、チャネル部Ａｘからの入力と、同チャネル部Ａｘへの出力を分波、合波するため、チャネル部Ｂｘの下流側に光カプラよりな合分波器ＣＤ−Ｂを設ける。
【００９１】
更に、チャネル部ＡｘからＢｘへλ設定要求データを生成し送信する為、チャネル部ＡｘにＯＮ／ＯＦＦ制御部ＯＮ／ＯＦＦ−Ａを設けると共に、チャネル部ＢｘからＡｘへλ情報データを生成し送信する為、チャネル部ＢｘにＯＮ／ＯＦＦ制御部ＯＮ／ＯＦＦ−Ｂを設ける。更に、チャネル部Ｂｘからのλ情報データを検出しλ情報を取得するため、チャネル部ＡｘにＯＮ／ＯＦＦ検出部ＯＮ／ＯＦＦ―Ｄを設ける。
【００９２】
他方、図２９の例の場合（図１８の実施例に対応）、上記例同様、チャネル部Ｂｘにλ設定要求データ送信用の送信部ＴＲλ設け、チャネル部Ａｘにλ設定要求データ受信用の受信部ＲＣλを設ける。更に、チャネル部Ｂｘからの入力と同チャネル部Ｂｘへの出力を分波、合波するため、チャネル部Ａｘの上流側に光カプラよりな合分波器ＣＤ−Ａを設け、チャネル部Ａｘからの入力と、同チャネル部Ａｘへの出力を分波、合波するためチャネル部Ｂｘの下流側に光カプラよりな合分波器ＣＤ−Ｂを設ける。
【００９３】
更に、チャネル部ＡｘからＢｘへλ設定要求データを生成し送信する為チャネル部Ａｘに出力レベル制御部ＯＬＣＡを設け、チャネル部Ａｘからのλ設定要求データを検出しλ設定要求を取得するため、チャネル部Ｂｘに入力レベル検出部ＩＬＤＢを設ける。更に、チャネル部ＢｘからＡｘへλ情報データを生成し送信する為、チャネル部Ｂｘに主鶴力レベル制御部ＯＬＣＢを設け、チャネル部Ｂｘからのλ情報データを検出しλ情報を取得するため、チャネル部Ａｘに入力レベル検出部ＩＬＤＡを設ける。
【００９４】
本実施例の場合、λ自動設定が終了するまでλｘ−Ａ（装置Ａから装置Ｂへの波長λの信号）が不通状態になってもかまわないことが実施条件となる。
【００９５】
本実施例の場合、以下の動作にて上流方向出力信号の波長λｘ−Ａを自動設定する。
【００９６】
即ち、オペレータがチャネル部Ａｘを休止状態から運用状態に設定を変更すると、装置Ａ１１０の設定制御部１１１Ａは、図２８の例の場合チャネルＡｘのＯＮ／ＯＦＦ制御部ＯＮ／ＯＦＦ−Ａに、図２９の例の場合、チャネル部Ａｘの出力レベル制御部ＯＬＣＡへλ設定要求を通知する。このλ設定要求を受けたＯＮ／ＯＦＦ制御部又は出力レベル制御部は、夫々の方式（第４実施例又は第５実施例の光信号のオン・オフ又は強度変調による）を用い、λ設定要求データ（ある特定のパターン）を送信する。
【００９７】
このチャネル部Ａｘからのλ設定要求データを受け取ったチャネル部Ｂｘのデータ処理部ＰＲＣＢ（図２８の例）又は入力レベル検出部ＩＬＤ−Ｂ（図２９の例）は、チャネルＢｘのＯＮ／ＯＦＦ制御部ＯＮ／ＯＦＦ−Ｂ又は出力レベル制御部ＯＬＣ−Ｂへλ設定要求を伝達する。
【００９８】
以降、第４又は第５実施例の方式によりチャネル部ＢｘからＡｘへ信号λ１−Ａを通してλ情報を送信し、チャネル部Ａｘは受信したλ情報を自己の送信部ＴＲに設定する。
【００９９】
このように第８実施例では、光カプラよりな合分波器を設けることによって単一の光伝送路によってチャネル部Ａｘ，Ｂｘ間の双方向の信号のやりとりが可能であり、光伝送路（ファイバ）の効率的利用が達成できる。
【０１００】
以下に本発明の第９実施例の構成について図３０，３１，３２と共に説明する。
【０１０１】
本実施例では、装置Ｂ１２０から装置Ａ１１０へと送信される光信号の波長λを装置Ａにて分析・検出し、当該検出波長λを装置Ａの送信部に設定する構成を有する。
【０１０２】
具体的には装置Ａ１１０に分岐器ＢＲを設け、これによって受信データを二分し、一方を従来の受信部に接続し、他方を新たに設けたλ分析器λＡＮに入力し、もって装置Ｂからの受信データの波長λを計測する。
【０１０３】
以下に第９実施例の動作について説明する。
【０１０４】
まず、オペレータより装置Ａ１１０に対してデータ出力要求があった際（ステップＳ６１）、当該要求に含まれる該当チャネル番号、λ値（指定無しでも可）が設定制御部１１１へ渡されると、設定制御部でこの要求を解析する（ステップＳ６２）。
【０１０５】
上記要求がλ指定有りの場合（ステップＳ６３のＹｅｓ）、従来技術により、当該指定波長λを送信部に設定する（ステップＳ７３）。
【０１０６】
他方、上記要求がλ指定無しの場合（ステップＳ６３のＮｏ）、データ処理部ＰＲＣＡに、現在信号受信中か否かを問い合わせる（ステップＳ６４）。その結果、受信中でなければ（ステップＳ６４のＮｏ）、オペレータに対して自動設定不可通知（チャンネル番号、および拒否の理由を通知）を行い（ステップＳ６６）、終了する。
【０１０７】
他方受信中であれば（ステップＳ６４のＹｅｓ）、λ計測部λＭＳを起動しλ測定要求を送る（ステップＳ６５）。λ測定要求を受信したλ計測部λＭＳはλ分析器λＡＮから当該受信信号の受信λ測定値を取得する（ステップＳ６７）。
【０１０８】
次に、以下の如く受信λ測定値（ｌａｍｂｄａ＿ｍｅａｓｕｒｅｄ）に測定誤差ｋの幅を持たせる（ステップＳ６８）。
【０１０９】
ｌａｍｂｄａ＿ｓ＝ｌａｍｂｄａ＿ｍｅａｓｕｒｅｄ×　（１−ｋ）
ｌａｍｂｄａ＿ｌ＝ｌａｍｂｄａ＿ｍｅａｓｕｒｅｄ×（１＋ｋ）
そして出力可能λ（ＳＴＲＡ）の先頭から順にλを読み出し（変数ｌａｍｄａ＿ｅｎａｂｌｅに値を格納）、以下の如く、この値が上記ステップＳ６８で求めた測定誤差の幅に収まるかどうかを比較する（ステップＳ６９）。
【０１１０】
ｌａｍｂｄａ＿ｓ＜ｌａｍｂｄａ＿ｅｎａｂｌｅ且つ
ｌａｍｂｄａ＿ｅｎａｂｌｅ＜ｌａｍｂｄａ＿ｌ
その結果ステップＳ６９にて当てはまるλ（ｌａｍｂｄａ＿ｅｎａｂｌｅ）があればそれを設定λとし（ステップＳ７２）、設定制御部１１１へデータ出力要求を出す。これを受信した設定制御部１１１は上記同様の処理を行い、送信部ＴＲに当該λを設定する。
【０１１１】
次に、上述の如くの処理にてλ設定後、何らかの理由で装置Ｂから装置Ａへの信号が停止された場合の動作について説明する。この場合とは、例えば上流側で変換波長の変更等がなされ、その結果一時的に送信が中断した場合等である。
【０１１２】
まず、データ処理部ＰＲＣＡにて装置Ｂからのデータ停止を検出すると（ステップＳ８１）、オペレータに対して設定制御部１１１からＤＡＴＡＯＦＦを通知する（ステップＳ８２）。次にデータ処理部ＰＲＣＡにて装置Ｂからの信号受信開始ＤＡＴＡＯＮを検出すると（ステップＳ８３のＹｅｓ），オペレータに対して設定制御部１１１からＤＡＴＡＯＮを通知する（ステップＳ８４）。その場合、当該信号の受信λに変更が無いか確認するため、λ計測部λＭＳに対しλ測定要求を送る（ステップＳ８５）。
【０１１３】
このλ測定要求を受信したλ計測部は、λ分析器λＡＮから受信λ測定値を取得し（ステップＳ８６），受信λ測定値（ｌａｍｂｄａ＿ｍｅａｓｕｒｅｄ）に測定誤差ｋの幅を持たせる（ステップＳ８７）。
【０１１４】
ｌａｍｂｄａ＿ｓ＝ｌａｍｂｄａ＿ｍｅａｓｕｒｅｄ×（１−ｋ）
ｌａｍｂｄａ＿ｌ＝ｌａｍｂｄａ＿ｍｅａｓｕｒｅｄ×（１＋ｋ）
そして装置Ａの現在の出力λ設定値（ｌａｍｂｄａ＿ｏｌｄ）が、上記測定誤差の幅に収まるかどうかを比較照合（ステップＳ８８）する。
【０１１５】
ｌａｍｂｄａ＿ｓ＜ｌａｍｂｄａ＿ｏｌｄ　且つ
ｌａｍｂｄａ＿ｏｌｄ＜ｌａｍｂｄａ＿ｌ
その結果、現在の出力λが範囲に収まれば（ステップＳ８８のＹｅｓ）、λに変更は無しとして処理を終了するが、現在の出力λが範囲に収まらない場合（ステップＳ８８のＮｏ）、λの再設定を行う。
【０１１６】
即ち出力可能λの先頭から順に読み出し（変数ｌａｍｄａ＿ｅｎａｂｌｅに値を格納、ステップＳ８９）、測定誤差の幅に収まるかどうかを比較する（ステップＳ９０）。
【０１１７】
ｌａｍｂｄａ＿ｓ＜ｌａｍｂｄａ＿ｅｎａｂｌｅ且つ
ｌａｍｂｄａ＿ｅｎａｂｌｅ＜ｌａｍｂｄａ＿ｌ
その結果当てはまるλ（ｌａｍｂｄａ＿ｅｎａｂｌｅ）があれば（ステップＳ９０のＹｅｓ）、それを新たな設定λとし（ステップＳ９２）、設定制御部１１１へλ変更要求を出す（ステップＳ９３）。これを受信した１１１設定制御部は従来のλ変更処理を行い、終了する。
【０１１８】
以下に、図３０の構成の変形例として、図３３の構成について説明する。
【０１１９】
この場合、新たに装置Ａに異常監視部ＡＢＮを設ける。当該異常監視部は、λ計測部λＭＳを監視し、全λに対して試行して失敗した場合（ステップＳ７１のＹｅｓ）、オペレータに異常を通知する。
【０１２０】
又、更に、異常監視部ＡＢＮは、例えば上記の如くのＤＡＴＡＯＦＦからＤＡＴＡＯＮへの回復時の再設定時に全λに対して試行して失敗した場合（ステップＳ９１のＹｅｓ）、設定制御部１１１に対してデータ出力ＯＦＦ要求を送る。
【０１２１】
以下に、図３４，３５，３６と共に、本発明の第１０実施例について説明する。
【０１２２】
この実施例では、図３０に示す第９実施例の構成に対し、λ分析器λＡＮの代わりに通過波長可変フィルタＶＦＲを設け、出力可能なλを通過させるように当該フィルタＶＦＲのフィルタ係数、即ち通過波長を順次変化させ、当該フィルタ係数によって通過した信号のλを検出する構成を有する。
【０１２３】
即ち、図３５のステップＳ１０１にて、オペレータより装置Ａへデータ出力要求があった際、図３１のステップＳ６１乃至Ｓ６５と同様なステップＳ１０１乃至Ｓ１０５を実行する。
【０１２４】
次に、λ測定要求を受信したλ計測部λＭＳは、出力可能λ（格納部ＳＴＲＡ中）の先頭のλを読み出し（変数ｌａｍｄａ＿ｅｎａｂｌｅに値を格納し（ステップＳ１０７）、受信信号の波長λの値が当該ｌａｍｂｄａ＿ｅｎａｂｌｅと一致する場合のみ透過させるよう可変フィルタＶＦＲを制御する（ステップＳ１０８）。そして一定時間（例えば５秒間）経過後（ステップＳ１１１のＹｅｓ）、出力可能λの次のλを透過させるように可変フィルタを制御する（ステップＳ１０７，Ｓ１０８）。それ以降一定時間経過毎に可変フィルタを透過させるλを変更していく（ステップＳ１０７乃至Ｓ１１１のループ）。
【０１２５】
その間、データ処理部ＰＲＣＡにて受信データの光強度レベルを監視し、受信データが可変フィルタＶＦＲを通過した場合（ステップＳ１０９のＹｅｓ）、その時のフィルタＶＦＲの設定値λをｌａｍｂｄａ＿ｏｋに格納し（ステップＳ１１２）、設定制御部１１１へデータ出力要求を出す。これを受信した設定制御部１１１は上記同様、従来のλ指定データ出力・設定処理を行い、λ設定を実施して当該処理を終了する。
【０１２６】
又、上記の如くのＤＡＴＡＯＦＦからＤＡＴＡＯＮへの回復時には、図３２のステップＳ８１乃至Ｓ８５と同様なステップＳ１２１乃至Ｓ１２５を実行する（図３６参照）。次にλ測定要求を受信したλ計測部λＭＳは、受信信号が現在の設定で可変フィルタＶＦＲを透過するか否かを調べる（ステップＳ１２６）。受信信号が透過すれば（ステップＳ１２６のＹｅｓ）、λに変更は無しとして処理を終了するが、受信信号が透過しない場合（Ｎｏ）、λの再設定を行う。
【０１２７】
その場合、λ測定要求を受信したλ計測部λＭＳは出力可能λ　（ｌａｍｂｄａ＿ｅｎａｂｌｅ）の先頭のλが透過するように可変フィルタＶＦＲの係数を制御する（ステップＳ１２７，Ｓ１２８）。一定時間（ｔ＝５［ｓ］）経過後（ステップＳ１３１のＹｅｓ）、出力可能λの次のλが透過するように可変フィルタＶＦＲを制御する（ステップＳ１２７，１２８）。それ以降一定時間経過ごとに可変フィルタＶＦＲを透過するλを変更していく（ステップＳ１２７乃至Ｓ１３１のループ）。
【０１２８】
その間受信信号の光強度レベルを監視し、受信信号が可変フィルタＶＦＲを通過した場合（ステップＳ１２９のＹｅｓ）、それを新たな設定λ（ｌａｍｂｄａ＿ｏｋ）とし（ステップＳ１３２）、設定制御部１１１へλ変更要求を出す。これを受信した設定制御部１１１は従来のλ変更処理を行って当該λ値でλ設定を行う（ステップＳ１３３）。
【０１２９】
以下に、図３７、３８と共に、本発明の第１１実施例の構成について説明する。本実施例では、装置Ａの上流側出力部において、従来のように、対向する装置Ｂのチャネル部で受信可能なλに合わせるように上流側へ出力するλを可変的に決定するのではなく、全種類のλを装置Ａから出力し（ステップＳ１４１，Ｓ１４２）、それを装置Ａ内の合波器ＣＤに通し、もって一本の光線に纏めた後、装置Ａの上流側出力部から出力させる（ステップＳ１４３）。そして、装置Ｂの受信部にフィルタＦＲを設けておき、もって必要なλ、即ち各フィルタ部Ａｘの固有波長λのみ透過するように構成する（ステップＳ１４４）。
【０１３０】
この構成によれば、装置Ａ１１０側の各チャネル部Ａｘは全て共通として同一の構成を有するものとすることが可能であり、且つ又、λの調整、設定動作等は一切不要とすることが可能である。
【０１３１】
上述の本発明は以下の付記に記載の構成を含む。
【０１３２】
（付記１）
供給信号波長が各々固定されている複数の入力端子よりなり、供給された複数の波長の信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化部の入力端子が有する固定波長に対応した固定波長を有する複数の端末部よりなり、
前記複数の端末部の各々は、その固定波長に対応した波長の信号を通過させるフィルタと、当該フィルタを通過した信号を当該端末部に個別的に対応させてを変調する変調器とよりなり、
前記複数の波長変換部の各々は変換波長を順次変更しながら波長変換した信号を出力して対応する端末部に供給して多重化部を介した出力を波長分析することによって上記変調器で変調された信号を検出し当該変調信号から該当する端末部を識別し且つ当該信号の波長を分析し、もって当該端末部の固定波長を検出する構成の波長分割多重装置。
【０１３３】
（付記２）
上記波長変換部における変換波長を順次変更してゆくことによって接続された端末部の固定波長を検出する動作を繰り返し行う手段と、
前記繰り返しの回数が所定の回数を超えた際には異常信号を出力する手段とよりなる付記１に記載の波長分割多重装置。
【０１３４】
（付記３）
複数の波長変換部のうちの既に変換波長が決定された波長変換部にて採用された波長の情報を格納する手段よりなる付記１又は２に記載の波長分割多重装置。
【０１３５】
（付記４）
供給信号波長が各々固定されている複数の入力端子よりなり、供給された複数の波長の信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化部の入力端子が有する固定波長に対応した固定波長を有する複数の端末部よりなり、
前記複数の端末部の各々は、その固定波長に対応させて変調した光信号をそれが接続された波長変換部へ送信し、それを受けた波長変換部で当該送信された光信号の変調成分から当該固定波長を読み取ることによって当該端末部の固定波長を検出する構成の波長分割多重装置。
【０１３６】
（付記５）
前記変調器による変調は、個々の端末部を識別可能なように光信号の送信を当該端末部に特有の所定のタイミングで停止及び再開することよりなる付記４に記載の波長多重装置。
【０１３７】
（付記６）
前記変調器による変調は、個々の端末部を識別可能なように光信号の強度を当該端末部に特有の所定のタイミングで変化させることよりなる付記４に記載の波長多重装置。
【０１３８】
（付記７）
前記光信号の変調によって端末部の固定波長を伝達し、もって波長変換部において該当する固定波長を検出する動作はオペレータの操作入力によって開始される構成の付記４，５乃至６のいずれかに記載の波長分割多重装置。
【０１３９】
（付記８）
供給信号波長が各々固定されている複数の入力端子よりなり、供給された複数の波長の信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化部の入力端子が有する固定波長に対応した固定波長を有する複数の端末部よりなり、
前記複数の端末部の各々は、その固定波長の光信号をそれが接続された波長変換部へ送信し、それを受けた波長変換部で当該送信された光信号の波長を分析することによって当該端末部の固定波長を検出する構成の波長分割多重装置。
【０１４０】
（付記９）
前記波長の分析の結果得られた波長値が当該波長変換部のが変換可能な波長と一致しながった場合に異常信号を発生する手段よりなる付記８に記載の波長分割多重装置。
【０１４１】
（付記１０）
供給信号波長が各々固定されている複数の入力端子よりなり、供給された複数の波長の信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化部の入力端子が有する固定波長に対応した固定波長を有する複数の端末部よりなり、
前記複数の端末部の各々は、その固定波長の光信号をそれが接続された波長変換部へ送信し、それを受けた波長変換部で当該送信された光信号を可変波長フィルタに、その通過可能波長を変更しながら通し、当該フィルタを通過した際のフィルタの通過可能波長を得ることによって当該端末部の固定波長を検出する構成の波長分割多重装置。
【０１４２】
（付記１１）
前記フィルタの通過可能波長を変更しても端末部からの信号が通過しなかった場合には異常信号を発生する手段よりなる付記１０に記載の波長分割多重装置。
【０１４３】
（付記１２）
供給信号波長が各々固定されている複数の入力端子よりなり、供給された複数の波長の信号を多重化して出力する多重化部と、
各々が入力光信号の波長を多重化部の固定波長に応じた所定の波長に変換して出力する複数の波長変換部と、
夫々が複数の波長変換部に接続され且つ多重化部の複数の入力端子へ接続され、複数の波長変換部の各々から出力された信号を多重化部の複数の端子へ夫々供給する複数の端末部であって、各々はそれが接続された多重化部の入力端子が有する固定波長に対応した固定波長を有する複数の端末部よりなり、
前記複数の波長変換部の各々は波長変換によって複数の異なる波長の信号を同時に生成して出力する構成であり、
前記複数の端末部の各々は、接続された波長変換部から同時に供給された複数の異なる波長の信号から自己の固定波長の信号のみを通過可能なフィルタを設けた構成の波長分割多重装置。
【０１４４】
（付記１３）
相互接続された波長変換部と端末部との間の相互信号伝達を単一の伝送路で実現するために双方に合分波器を設けた付記１乃至１２のいずれかに記載の波長分割多重装置。
【０１４５】
（付記１４）
供給信号波長が各々固定されている複数の入力端子よりなり、供給された複数の波長の信号を多重化して出力する多重化部と、各々が入力光信号の波長を多重化部の固定波長に応じた所定の波長に変換して出力する複数の波長変換部と、夫々が複数の波長変換部に接続され且つ多重化部の複数の入力端子へ接続され、複数の波長変換部の各々から出力された信号を多重化部の複数の端子へ夫々供給する複数の端末部であって各々はそれが接続された多重化部の入力端子が有する固定波長に対応した固定波長を有する複数の端末部よりなる波長分割多重装置における各波長変換部の変換波長の自動設定方法であって、
前記複数の端末部の各々には、その固定波長に対応した波長の信号のみを通過させるフィルタと、当該フィルタを通過した信号を当該端末部に個別的に対応させてを変調する変調器とを設け、
前記複数の波長変換部の各々は変換する波長を順次変更しながら波長変換した信号を出力して対応する端末部に供給し多重化部を介した出力を波長分析することによって上記変調器で変調された信号を検出して当該変調信号から該当する端末部を識別し且つ当該信号の波長を分析し、もって当該端末部の固定波長を検出して当該波長変調器の変調波長として設定する構成の波長分割多重装置における各波長変換部の変換波長自動設定方法。
【０１４６】
（付記１５）
供給信号波長が各々固定されている複数の入力端子よりなり、供給された複数の波長の信号を多重化して出力する多重化部と、各々が入力光信号の波長を多重化部の固定波長に応じた所定の波長に変換して出力する複数の波長変換部と、夫々が複数の波長変換部に接続され且つ多重化部の複数の入力端子へ接続され、複数の波長変換部の各々から出力された信号を多重化部の複数の端子へ夫々供給する複数の端末部であって各々はそれが接続された多重化部の入力端子が有する固定波長に対応した固定波長を有する複数の端末部よりなる波長分割多重装置の各波長変換部における変換波長を自動設定する方法であって、
前記複数の端末部の各々は、その固定波長に対応させて変調した光信号をそれが接続された波長変換部へ送信し、それを受けた波長変換部で当該送信された光信号の変調成分から当該固定波長を読み取ることによって当該端末部の固定波長を検出し、それを当該波長変換部に設定する構成の波長分割多重装置の各波長変換部の変換波長を自動設定する方法。
【０１４７】
（付記１６）
供給信号波長が各々固定されている複数の入力端子よりなり、供給された複数の波長の信号を多重化して出力する多重化部と、各々が入力光信号の波長を多重化部の固定波長に応じた所定の波長に変換して出力する複数の波長変換部と、夫々が複数の波長変換部に接続され且つ多重化部の複数の入力端子へ接続され、複数の波長変換部の各々から出力された信号を多重化部の複数の端子へ夫々供給する複数の端末部であって各々はそれが接続された多重化部の入力端子が有する固定波長に対応した固定波長を有する複数の端末部よりなる波長分割多重装置の各波長変換部における変換波長を自動設定するための方法であって、
前記複数の端末部の各々は、その固定波長の光信号をそれが接続された波長変換部へ送信し、それを受けた波長変換部で当該送信された光信号の波長を分析することによって当該端末部の固定波長を検出して、それを当該波長変換部に設定する構成の波長分割多重装置の波長変換部の変換波長を自動設定する方法。
【０１４８】
（付記１７）
供給信号波長が各々固定されている複数の入力端子よりなり、供給された複数の波長の信号を多重化して出力する多重化部と、各々が入力光信号の波長を多重化部の固定波長に応じた所定の波長に変換して出力する複数の波長変換部と、夫々が複数の波長変換部に接続され且つ多重化部の複数の入力端子へ接続され、複数の波長変換部の各々から出力された信号を多重化部の複数の端子へ夫々供給する複数の端末部であって各々はそれが接続された多重化部の入力端子が有する固定波長に対応した固定波長を有する複数の端末部よりなる波長分割多重装置の各波長変換部における変換波長を自動設定するための方法であって、
前記複数の端末部の各々は、その固定波長の光信号をそれが接続された波長変換部へ送信し、それを受けた波長変換部で当該送信された光信号をフィルタに、その通過可能波長を変更しながら通し、当該フィルタを通過した際のフィルタの通過可能波長を得ることによって当該端末部の固定波長を検出し、それを当該波長変換部に設定する構成の波長分割多重装置の各波長変換部における変換波長を自動設定するための方法。
【０１４９】
【発明の効果】
このように本発明によれば、多数の異なる波長の信号を多重化する波長分割多重装置において、あらかじめ供給する波長の固定された入力端子を有する多重化部の各入力端子と接続されている端子部の各々に対して供給する信号の波長をこれに接続された波長変換部にて正しく設定する過程において端子部側の固定波長の情報が確実に対応する波長変換部側に伝達されるため、当該波長変換部にて該当する波長を正しく設定することが可能であり、多町分割多重装置における変換波長の設定工程の簡素化が可能となる。
【図面の簡単な説明】
【図１】本発明を適用可能なＷＤＭ装置システムを説明するための図である。
【図２】従来のＷＤＭ装置における波長変換部の変換波長の設定作業について説明するための図である。
【図３】従来のＷＤＭ装置における波長変換部の変換波長の設定作業について説明するためのフローチャートである。
【図４】従来のＷＤＭ装置における波長変換部の変換波長の設定作業について説明するための動作シーケンス図である。
【図５】本発明を適用可能なＷＤＭ装置のシステム構成例を説明するための図である。
【図６】本発明の第１実施例の構成を示すブロック図である。
【図７】本発明の第１実施例の動作を示すフローチャートである。
【図８】本発明の第１実施例に適用可能な光信号の変調態様の一例を示すタイムチャート（その１）である。
【図９】本発明の第１実施例に適用可能な光信号の変調態様の一例を示すタイムチャート（その２）である。
【図１０】本発明の第２実施例の構成を示すブロック図である。
【図１１】本発明の第２実施例の動作を示すフローチャートである。
【図１２】本発明の第３実施例の構成を示すブロック図である。
【図１３】本発明の第３実施例の動作を示すフローチャートである。
【図１４】本発明の第４実施例の構成を示すブロック図である。
【図１５】本発明の第４実施例に適用可能な光信号の変調態様の一例を示すタイムチャート（その１）である。
【図１６】本発明の第４実施例に適用可能な光信号の変調態様の一例を示すタイムチャート（その２）である。
【図１７】本発明の第４実施例に適用可能な光信号の変調態様の一例を示すタイムチャート（その３）である。
【図１８】本発明の第５実施例の構成を示すブロック図である。
【図１９】本発明の第５実施例に適用可能な光信号の変調態様の一例を示すタイムチャート（その１）である。
【図２０】本発明の第５実施例に適用可能な光信号の変調態様の一例を示すタイムチャート（その２）である。
【図２１】本発明の第５実施例に適用可能な光信号の変調態様の一例を示すタイムチャート（その３）である。
【図２２】本発明の第５実施例に適用可能な光信号の変調態様の一例を示すタイムチャート（その４）である。
【図２３】本発明の第５実施例に適用可能な光信号の変調態様の一例を示すタイムチャート（その５）である。
【図２４】本発明の第６実施例の構成例（その１）を示すブロック図である。
【図２５】本発明の第６実施例の構成例（その２）を示すブロック図である。
【図２６】本発明の第７実施例の構成例（その１）を示すブロック図である。
【図２７】本発明の第７実施例の構成例（その２）を示すブロック図である。
【図２８】本発明の第８実施例の構成例（その１）を示すブロック図である。
【図２９】本発明の第８実施例の構成例（その２）を示すブロック図である。
【図３０】本発明の第９実施例の構成を示すブロック図である。
【図３１】本発明の第９実施例の動作を示すフローチャート（その１）である。
【図３２】本発明の第９実施例の動作を示すフローチャート（その２）である。
【図３３】本発明の第９実施例の変形例の構成を示すブロック図である。
【図３４】本発明の第１０実施例の構成を示すブロック図である。
【図３５】本発明の第１０実施例の動作を示すフローチャート（その１）である。
【図３６】本発明の第１０実施例の動作を示すフローチャート（その２）である。
【図３７】本発明の第１１実施例の構成を示すブロック図である。
【図３８】本発明の第１１実施例の動作を示すフローチャートである。
【符号の説明】
１１０　　装置Ａ
１２０　　装置Ｂ
１３０　　ＷＤＭ
２００　　光伝送装置
Ａｘ　　装置Ａの各チャネル部
Ｂｘ　　装置Ｂの各チャネル部
ＦＴＲ　　固定波長通過フィルタ
ＯＮ／ＯＦＦ　　ＯＮ／ＯＦＦ制御部
ＯＬＣ　　出力レベル制御部
ＩＬＤ　　入力レベル検出部
ＣＤ　　合分波器
ＶＦＲ　　通過波長可変フィルタ
【図１】
2004015328.tif 000003
【図２】
2004015328.tif 000004
【図３】
2004015328.tif 000005
【図４】
2004015328.tif 000006
【図５】
2004015328.tif 000007
【図６】
2004015328.tif 000008
【図７】
2004015328.tif 000009
【図８】
2004015328.tif 000010
【図９】
2004015328.tif 000011
【図１０】
2004015328.tif 000012
【図１１】
2004015328.tif 000013
【図１２】
2004015328.tif 000014
【図１３】
2004015328.tif 000015
【図１４】
2004015328.tif 000016
【図１５】
2004015328.tif 000017
【図１６】
2004015328.tif 000018
【図１７】
2004015328.tif 000019
【図１８】
2004015328.tif 000020
【図１９】
2004015328.tif 000021
【図２０】
2004015328.tif 000022
【図２１】
2004015328.tif 000023
【図２２】
2004015328.tif 000024
【図２３】
2004015328.tif 000025
【図２４】
2004015328.tif 000026
【図２５】
2004015328.tif 000027
【図２６】
2004015328.tif 000028
【図２７】
2004015328.tif 000029
【図２８】
2004015328.tif 000030
【図２９】
2004015328.tif 000031
【図３０】
2004015328.tif 000032
【図３１】
2004015328.tif 000033
【図３２】
2004015328.tif 000034
【図３３】
2004015328.tif 000035
【図３４】
2004015328.tif 000036
【図３５】
2004015328.tif 000037
【図３６】
2004015328.tif 000038
【図３７】
2004015328.tif 000039
【図３８】
2004015328.tif 000040